(57)【要約】【課題】１６Ｈｚ周波数の光信号で視神経を刺激して、脳波中にスピンドルウエーブに似た信号を発生させ、このスピンドルウエーブを利用して心身をリラクゼーションさせる器具を提供する。【解決手段】発振コントローラと発光眼鏡が接続されてなるリラクゼーション器具に次の手段を採用する。第１に、上記発振コントローラの発振部が、低周波の出力波を出力するＴＴＬ発信ＩＣと、バースト波を出力するタイマーＩＣと、切換スイッチと、出力波の周波数を決定するボリュームと、バースト波の間欠ピッチを決定するボリュームと、バースト波を５０％デューテイ比の方形波に成形すると共に、該バースト波と、所定周波数の出力波の為のＮＡＮＤ回路と、増幅用のバッハ回路と、信号出力の為のトランジスタよりなる。第２に、眼鏡が、発光ダイオードが眼鏡の縁に８個装着された上、眼鏡縁の前後には光透過性を有するカバーを装着した。【選択図】図３
0003129720.tif 000002
【実用新案登録請求の範囲】
【請求項１】
脳波の乱れたり薬を飲んでも眠れない人の為に発振部と電源部を用いて発信機コントローラと発光眼鏡が繋がって利用者が発光眼鏡を掛けてθ波（４−８Ｈｚ）により睡眠導入されて眠りリラクゼーションする器具で有る、
発振コントローラの発振部が、所定の低周波数の出力波を出力するＴＴＬ発振ＩＣとタイマーＩＣとで合成してスピンドルウエーブに近い周波数のバースト波を出力させ合成時にスイッチ切り替えに依り該当するバースト波所定周波数１６Ｈｚ出力させナンド回路及びバッハ回路及び信号出力の為のトランジスターを持ち得る、発光眼鏡が、トランジスターからの出力信号により波長λ＝５２０ｎｍの緑色発光ダイオードが眼鏡の縁に８個装着され発光１５０Ｌｘ−２００Ｌｘで照射されて、目に光のアナログ信号を照射されて眼球内のレチナールに伝達されその伝達物質が信号を発振して、３−１０分で前頭葉でθ波（４−８Ｈｚ）が測定される（測定結果５０μＶ）でその間脳内ではデジタル化されて信号は１４Ｈｚに変換される、眼鏡に８個ダイオードを着装してコントローラボックスと共に使用する安眠器具リラクゼーション器具。
【請求項２】
カバーが、中央部が中空にくり抜かれたものである請求項１記載のリラクゼーション器具。
【考案の詳細な説明】
【技術分野】
【０００１】  本考案は、瞼の上により眼球の中の視神経のレチナールを刺激して、神経内の素子レチナールに依り脳内に信号を発生させスピンドルウエーブに似た脳波を発生させて、θ波（４−８Ｈｚ）を発生させ、利用者の心身をリラックスさせ眠らせるリラクゼーション器具に関するものである。
【背景技術】
【０００２】  脳波が乱れたり、薬で眠れぬ時に、脳波の乱れを直す為にθ波を発生させて人の脳波のまどろみを発生させて睡眠導入に至る、図１から目から入った光のアナログ信号はレチナール１１−シスに入りトランスレチナールに変りこの時信号はデジタル化する、光のＯＮ・ＯＦＦに縁って１１−シスとトランスレチナールに交互に変換し、１４Ｈｚのパルス信号を得て、視神経の視交叉神経に入り、第一視覚野（１７野）に入り、即頭部に回り視床下部に入り脳皮質に伝わり前頭葉依りθ波（４−８Ｈｚ）として５０μＶの脳波測定を得る。このレチナールはコンピュータで言うと１０億個に当たり、交換装置で言うと５００万台に相当する、この脳波測定はヒューテックエレクトロニクス（株）の測定装置で、技術部・代表取締役の渡辺剛志の立会いで測定して此れは、奈良女子大学の丹羽タカ昭教授で行った測定器で出た結果と同じである。【０００３】  θ波に於いて特公昭５７−４４３３６記載の睡眠導入器など従来のこの種の器具は、睡眠状態の脳波を単に０．５から３．５Ｈｚのデルター波にすることを目的とするものであって、スピンドルウエーブを無視した物であった。バースト波に依る間欠のレチナールに依るθ波の発生原理とはθ波のメカニズムが違っている。【０００４】  本考案は、スピンドルウエーブに似た１４Ｈｚを得るのに１５０Ｌｘ−２００Ｌｘで眼球を照射して、１６Ｈｚを持入て瞼の上から照射して睡眠導入を図り脳波中のθ波を発生さしめる物で脳を眠らせ心身をリラクゼーションさせる為の器具を提供するものである。
【考案の開示】
【考案が解決しようとする課題】
【０００５】  第一の考案は、発振部と電源部を有する発振コントローラと発光眼鏡が繋がり、利用者が発光眼鏡を掛けて利用するリラクゼーション器具であって、発振コントローラの発振部が、所定の低周波数の出力波を出力するＴＴＬ発振ＩＣとバースト波を出力するタイマーＩＣと、バースト波の切り換えスイッチを使用した発信機と、ＴＴＬ発振ＩＣの出力波の周波数を決定するボリュームとタイマーＩＣバースト波の間欠ピッチと決定するボリュームと、バースト波を５０（％）デューテ比の方形波に成形すると共に該当バースト波と所定周波数１６Ｈｚの出力波を成形する為のＮＡＮＤ回路と、成形された信号を増幅する為のバッハ回路と、信号出力の為のトランジスターよりなり、他方、発光眼鏡には、トランジスターからの出力信号により波長λ＝５２０ｎｍの緑色に発光する発光ダイオードが眼鏡の縁に８個を装着して１５０Ｌｘ−２００Ｌｘで瞼の上に照射さす、発光ダイオードの装着された眼鏡縁には光透過有する材質よりなるカバーを装着したものとすることを特徴とするリラクゼーション器具である。【０００６】  第２の考案は、第１の考案の改良で有って、第１の考案に、カバーが、中央部が中空にくり抜かれた物である手段を追加したリラクゼーション器具である。【０００７】  第１の考案では、所定の低周波の出力波を出力するＴＴＬ発振ＩＣとバースト波を出力タイマーＩＣとを使用した発信機と、ＴＴＬ発振ＩＣの出力波の周波数を決定するボリュームと、タイマーＩＣのバースト波の間欠ピッチを決定するボリュームを有するので、従来の発信とバーストだけでは困難で有った周波数１６Ｈｚの出力波とバースト波の成形波を安定して作り出すことが容易となった。
【課題を解決するための手段】
【０００８】  又、バースト波と所定周波数１６Ｈｚの出力波の波形成形のＮＡＮＤ回路と、増幅する為のバッハ回路と、信号出力の為のトランジスターを有するので、所定周波数１６Ｈｚの出力波をバースト波に載せて発光ダイオードに出力することが可能となった。【０００９】  更に、発光眼鏡が、波長λ＝５２０ｎｍの緑色に発光する発光ダイオードが眼鏡の縁に８個等間隔で装着されているので、光信号が交渉波と成って、スピンドルウエーブに似た発生が実験上、確実なものと成った。更に、発光ダイオードの装着された眼鏡縁の前後には光透過性を有する材質よりなるカバーを装着した物であるので、瞼えの光信号の衝撃を緩和させることが可能と成った。【００１０】  第２の考案の効果であるが、カバーを、中央部が空中にくり抜かれたものとする事が本考案を利用しながら、廻りを視認する事が可能であるので、発振コントローラの操作や、その他の行動が確保出来るものと成った。【００１１】  以下、図面に従って、実施例と共に本考案の形態について説明する。図３は、実施例に示すリラクゼーション器具の概略説明図である。図３にしめされるようにリラクゼーション器具は、発光眼鏡１と発振コントローラ２とを接続コード３にて接続した物である。
【考案の効果】
【００１２】  発光眼鏡１には、発振コントローラ２からの出力信号により、波長λ＝５２０ｎｍの緑色に発光する発光ダイオード４が発光眼鏡の縁部５に８個等間隔に装着されている。等間隔に装着することで発光ダイオード８個の発光による光信号が交渉波となり脳内でのスピンドルウエーブに似た信号の発生の可能性が上がった。発光ダイオード８個の装着された発光眼鏡１の縁部５の前後には、乳白色の光透過性を有する材質よりなるカバー６が装着されている。尚、図中７は、前後のカバー６を適正間隔に保つ為にバーで連結してある。此れにより発光ダイオード８個をカバー６より守ることが出来る。
【考案を実施するための最良の形態】
【００１３】  発振コントローラ２は、図２に示される発振部と図示されていない電源部えを有する図３中符号８が電源部に電源を供給する為のＡＣ電源プラグで有り、符号９が電源のＯＮとＯＦＦとの切り換え電源スイッチで有る。尚、電源部は、ＤＣ−ＤＣコンバータを使用する事ににより、電池のみでの使用が可能とされている。【００１４】  発振部は、タイマーＩＣ２０とＴＴＬ発振ＩＣ２１とバースト波切換えスイッチ１０とバースト波コントロールボリューム１２と周波数コントロールボリューム１１とＦＥＴトランジスタ２２とＮＡＮＤ回路２３とバッハ回路２４、信号出力トランジスタ２５より構成される。【００１５】  ＴＴＬ発振ＩＣ２１は、所定の低周波の出力波を出力する又、２０ＫΩの周波数コントロールボリューム１１により出力周波数をコントロール可能である。主たる目的は、周波数１６Ｈｚの出力波を出力することで有るが、周波数コントロールボリューム１１を操作する事により、他の周波数を出力する事も可能である。【００１６】  他方、タイマーＩＣは、バースト波を出力するもので、タイマーＩＣ２０は、２ＭΩのバースト波コントロールボリューム１２に依り、バースト波の間欠ピッチ及び周波数をコントロールする事を可能にしている。タイマーＩＣ２０から出力されたバースト波は、ＦＥＴトランジスタ２２と図示されていないダイオードにより基本波形とされる。
【実地例】
【００１７】  ＮＡＮＤ回路２３は、出力信号を５０％デューテイ比の方形波の成形をする事と、該バースト波に所定低周波数の出力波を成形する。バッハ回路２４は、ＮＡＮＤ回路２３依り成形された信号を増幅する。又、この程度の増幅で発光ダイオード４を発光させるには８個カケル３Ｖで２４Ｖ必要になり信号出力トランジスタ２５に依り適正値まで増幅する。この信号に従って発光ダイオードは、点滅発光する。
【産業上の利用可能性】
【００１８】  尚、発振部にはバースト波切り換えスイッチ１０が存在し、バースト波切換スイッチ１０にて、所定周波数１６Ｈｚのバースト波周波数を出力成形した波とを出力可能としている。
この事に依り発信部付きのめがねで簡単に脳はのコントロールｂが可能となった。
【図面の簡単な説明】
【００１９】
【図１】頭部脳内のレチナールに縁る信号メカニズムと脳波測定値データ
【図２】発振部の説明ブロック図
【図３】リラクゼーション器具の概略説明斜視図
【符号の説明】
【００２０】１・・・・・・発光眼鏡
２・・・・・・発振コントローラ
３・・・・・・接続コード
４・・・・・・発光ダイオード
５・・・・・・縁部
６・・・・・・カバー
７・・・・・・連結バー
８・・・・・・電源供給プラグ
９・・・・・・電源スイッチ
１０・・・・・バースト波切換スイッチ
１１・・・・・周波数コントロールボリューム
１２・・・・・バースト波コントロールボリューム
２０・・・・・タイマーＩＣ
２１・・・・・ＴＴＬ発信ＩＣ
２２・・・・・ＦＥＴトランジスタ
２３・・・・・ＮＡＮＤ回路
２４・・・・・バッハ回路
２５・・・・・信号出力トランジスタ
【図１】
0003129720.tif 000003
【図２】
0003129720.tif 000004
【図３】
0003129720.tif 000005
【手続補正書】
【提出日】平成18年11月30日(2006.11.30)
【手続補正１】
【補正対象書類名】実用新案登録請求の範囲
【補正対象項目名】全文
【補正方法】変更
【補正の内容】
【実用新案登録請求の範囲】
【請求項１】
脳波の乱れたり薬を飲んでも眠れない人の為に発信機コントローラと発光眼鏡が繋がって利用者が発光眼鏡を掛けて４−８Ｈｚのθ波によりにより睡眠導入されて眠りリラクゼーションするリラクゼーション器具で有であって、発信部と電源部から成る、発振コントローラの発振部が、所定の低周波数の出力波を出力するＴＴＬ発振ＩＣとタイマーＩＣとで合成してスピンドルウエーブに近い周波数のバースト波を出力させバースト波を合成する為の合成時にスイッチ切り替えに依り該当するバースト波所定周波数１６Ｈｚを出力させバースト波を合成する為のナンド回路及びバッハ回路及び信号出力の為のトランジスターよりなり、波長λ＝５２０ｎｍの緑色発光ダイオードが、発光眼鏡の縁に８個装着されトランジスターからの出力信号により発光が１５０Ｌｘ−２００Ｌｘで照射されて、変換される周波数バースト波で眼鏡に８個ダイオードを着装してコントローラボックスと共に使用する安眠器具リラクゼーション器具。
【請求項２】
カバーが、中央部が中空にくり抜かれたものである請求項１記載のリラクゼーション器具。